(57)【要約】【課題】厚みに制約のある物品に対しても採用できるような薄さでありながら鮮明な画像を現出させることができ、また、印刷による形成を考慮した場合においても、全ての層を印刷によって積み重ねることができる装飾体を得る。【解決手段】複数の画素を整列してなる画素層と該画素層下に位置付けられる複数の平凸球面レンズを整列してなる平凸球面レンズ層とを備え、平凸球面レンズ層を構成する各平凸球面レンズが画素層に対して平面側を向かせ、各平凸球面レンズが球面側に平面側から入射した光を反射する反射面を配置し、画素層を構成する画素と平凸球面レンズ層を構成する平凸球面レンズとが横方向のピッチを相違させた配列で並べ、平凸球面レンズの平面側から目視した際に画素越しに目視できる平凸球面レンズが反射層で反射された光を集光することによって画素の集合体からなる画像を現出させる。【選択図】  図１
2011251538.tif 000002
【特許請求の範囲】
【請求項１】
複数の画素を整列してなる画素層と該画素層下に位置付けられる複数の平凸球面レンズを整列してなる平凸球面レンズ層とを備えており、平凸球面レンズ層を構成する各平凸球面レンズが画素層に対して平面側を向いており、各平凸球面レンズが球面側に平面側から入射した光を反射する反射面を配置し、画素層を構成する画素と平凸球面レンズ層を構成する平凸球面レンズとが横方向のピッチを相違させた配列で並べられており、平凸球面レンズの平面側から目視した際に画素越しに目視できる平凸球面レンズが反射層で反射された光を集光することによって画素の集合体からなる画像が現出することを特徴とする装飾体。
【請求項２】
反射面が各平凸球面レンズの球面に積層された反射層である請求項１記載の装飾体。
【請求項３】
反射面が各平凸球面レンズ層下に位置付けられる反射層である請求項１記載の装飾体。
【請求項４】
画素層及び平凸球面レンズ層が透明層下に積層されている請求項１乃至３のいずれかに記載の装飾体。
【発明の詳細な説明】
【技術分野】
【０００１】
本発明は、装飾体に関するものである。
【背景技術】
【０００２】
周知のとおり、広告板などに使用される装飾体の一つとして、複数の画素を整列してなる画素層と複数の平凸レンズを整列してなる平凸レンズ層とを積層することにより、画像を現出させる装飾体が知られている。
【０００３】
例えば、後出特許文献１には、着色又は無着色の透明基板Ｂの表面に、透明性を有する着色又は無着色の独立した多数の凸状集光素Ａを一定の微細なピッチにて規則正しい配列状態に印刷し、該透明基板Ｂの裏面に、前記表面の凸状集光素Ａと同形状で同配列状態又は異形状で同配列状態の多数の着色画素Ｃを、表面の凸状集光素Ａに対し交差角をずらせて印刷することにより、前記着色画素Ｃが、表面から見て立体感を有する拡大画像として現出し視点を移動させると該拡大画像が揺らぎ感を呈するモアレ現象を利用した点描画模様の装飾体が開示されている。
【０００４】
また、後出特許文献１には、同一形状・同一大きさの平凸レンズ状集光素を多数縦横に整列させて形成してなる平凸レンズ状集光素層と該平凸レンズ状集光素層の下に積層された透明基板層と該透明基板層の下に積層された同一形状・同一大きさの画素を多数縦横に整列させて形成してなる画素層とからなり、前記各平凸レンズ状集光素と前記各画素とは少なくとも一組が上下において完全に重なっていると共に該重なっている画素と等距離にある他の画素が該他の画素と対応する平凸レンズ状集光素に対して当該重なっている画素を中心として放射状に外側（又は内側）へ向かって同じ幅でずれていて、かつ、当該中心となる画素より外側の画素ほどずれる幅が大きくなるように前記平凸レンズ状集光素層と前記画素層とが配置されており、前記画素の形状と同一形状の拡大された虚像が前記重なっている画素を中心として前記平凸レンズ状集光素層の上方（又は下方）に現出する虚像現出装飾体が開示されている。
【特許文献１】特開平１０−３５０８３号公報
【特許文献２】特開平２００１−５５０００号公報
【発明の開示】
【発明が解決しようとする課題】
【０００５】
ところが、前記両特許文献に開示された装飾体においては、画素層と平凸レンズ層の間にある程度の厚みを有する透明層を積層しなければ鮮明な画像が現出されないため、装飾体自体の厚みも増し、これにより、包装箱などの厚みに制約のある物品に対して採用できず、装飾対象が限定されていた。また、表面に平凸レンズの凹凸が現れるため、表面処理が困難であった。さらに、印刷による形成を考慮した場合に、ある程度の厚みが必要な透明層は印刷での形成が困難であり、このため、透明層として合成樹脂などからなる透明板を用いると、画素層と平凸レンズ層を透明板の別々の面に印刷する必要があり、製造に手間がかかった。また、市販の透明板には片面にハードコート処理や粘着処理が施されているものがあり、当該処理が施された面に対しては印刷ができないため、透明板の両面に対して印刷が必要となる前記両特許文献に開示された装飾体を採用することができなかった。
【０００６】
そこで、本発明は、厚みに制約のある物品に対しても採用できるような薄さでありながら鮮明な画像を現出させることができ、また、印刷による形成を考慮した場合においても、全ての層を印刷によって積み重ねることができる装飾体を得ることを技術的課題として、その具現化をはかるべく、試作・実験を繰り返した結果、複数の画素を整列してなる画素層と、画素層下に位置付けられる複数の平凸球面レンズ（平凸レンズ）を整列してなる平凸レンズ層とを備えた装飾体において、平凸レンズ層を構成する各平凸レンズを画素層に対して平面側を向け、各平凸レンズの球面側に平面側から入射した光を反射する反射面を形成すれば、画素層と平凸レンズ層との間に透明層を積層することなく薄い積層構造を維持した状態で鮮明な画像を現出させることができるという刮目すべき知見を得、前記技術的課題を達成したものである。
【課題を解決するための手段】
【０００７】
前記技術的課題は、次の通りの本発明によって解決できる。
【０００８】
即ち、本発明に係る装飾体は、複数の画素を整列してなる画素層と該画素層下に位置付けられる複数の平凸球面レンズを整列してなる平凸球面レンズ層とを備えており、平凸球面レンズ層を構成する各平凸球面レンズが画素層に対して平面側を向いており、各平凸球面レンズが球面側に平面側から入射した光を反射する反射面を有しており、画素層を構成する画素と平凸球面レンズ層を構成する平凸球面レンズとが横方向のピッチを相違させた配列で並べられており、平凸球面レンズの平面側から目視した際に画素越しに目視できる平凸球面レンズが反射層で反射された光を集光することによって画素の集合体からなる画像が現出するものである
【０００９】
また、本発明は、前記装飾体において、反射面が各平凸球面レンズの球面に積層された反射層であるものである。
【００１０】
また、本発明は、前記装飾体において、反射面が平凸球面レンズ層下に位置付けられる反射層であるものである。
【００１１】
また、本発明は、前記いずれかの装飾体において、画素層及び平凸球面レンズ層が透明層下に積層されているものである。
【発明の効果】
【００１２】
本発明によれば、画素層下に平凸レンズ層を構成する平凸レンズの平面を画素層側に向けた状態で位置付けると共に、平凸レンズ層下に平凸レンズの平面側から入射した光を反射する反射面を形成したので、装飾体に対して光を照射すると、反射層において光が反射し、その反射した光を画素との重なり合いが小さな平凸レンズが集光して輝くため、この輝いた平凸レンズの存在により、平凸レンズと大きく重なり合って下方に位置する平凸レンズへの光の入射を遮断する画素の集合体によって形成される画像が強調され、実質的に装飾体に画像が現出する。なお、平凸レンズとして球面レンズを採用することにより、画素の形状に起因した形状の画像を現出させることができる。そして、前記積層構造を採用することによって、画素と平凸レンズ層との間に必ずしも透明層を積層する必要がなく鮮明な画像を現出させることができ、また、透明層を積層したとしても透明層の厚さが特に限定されないため、任意の厚さの透明層を積層しても鮮明な画像を現出させることができる。また、装飾体の表面が平滑に形成されるため、ハードコート処理などの表面処理を容易に行うことができる。さらに、印刷による形成を考慮した場合に、透明基板（透明層）に対して画素層、平凸レンズ層及び反射層を積層する際に、透明基板の片面に対して全ての層を順番に重ねて積層すればよいため、片面にハードコート処理や粘着処理が施された市販の透明基板に対しても適用することができ、装飾の対象が非常に広がる。
【００１３】
従って、本発明の産業上利用性は非常に高いといえる。
【発明を実施するための最良の形態】
【００１４】
以下、本発明の実施の形態を図面に基づき説明する。
【００１５】
実施の形態１．
【００１６】
図１は本実施の形態に係る装飾体を示した断面図である。図２は本実施の形態に係る装飾体の画像層と平凸レンズ層との位置関係を示した平面図であり、図中、縦横方向の画素の並びを実線、縦横方向の平凸レンズの並びを点線にて示している。図３は図１に示す装飾体に現出する画像を示した説明図である。これらの図において、１は、光を透過する透明層２と、透明層２下に積層される複数の画素３を整列してなる画素層４と、画素層４下に積層される複数の平凸レンズ５を整列してなる平凸レンズ層６と、平凸レンズ層下に積層される平凸レンズ５の平面側から入射した光を反射する反射層７とから構成される装飾体である。
【００１７】
透明層２は、光が透過できるものであればよい。従って、無色であっても、着色されていてもよい。なお、透明層２は、ガラス板や透明樹脂板などの板体を使用してもよく、また、透過性を有するインキによって形成することもできる。
【００１８】
画素層４は、複数の四角状の画素３によって構成されている。そして、各画素３は、縦方向のピッチと横方向のピッチとが一致するように配列して並べられている。なお、画素層４は、銀塩フィルム現像法（写真製版）、スクリーン印刷、オフセット印刷又は凸版印刷などによって形成することができる。
【００１９】
平凸レンズ層６は、複数の平凸レンズ５によって構成されている。各平凸レンズ５は、画素層４に対して平面側を向けた状態で積層されている。そして、各平凸レンズ５は、画素層４を構成する画素３と縦・横方向のピッチが一致するように配列して並べられている。なお、平凸レンズ層６は、厚盛性の良好な透明インキを用いてスクリーン印刷することによって形成することができる。
【００２０】
反射層７は、照射された光を反射できるものであればよく、例えば、鏡、金属又はフォログラムシートなどの光を反射できる部材によって形成してもよく、また、メタリックインキなどの金属調インキによって形成することもできる。なお、反射層６の反射の度合いが高いほど鮮明な画像が得られる傾向にあるため、反射層６は鏡面であることが好ましい。
【００２１】
次に、画素３と平凸レンズ５の位置関係について説明する。
【００２２】
画素層４と平凸レンズ層６とは、図２に示すように、画素３と平凸レンズ５とが上下において最も重なる基準画素８と基準平凸レンズ９とからなる組を有するように積層されている。そして、基準画素８を含む縦方向の画素の並び（以下、「基準画素列」という。）１０と基準平凸レンズ９を含む縦方向の画素の並び（以下、「基準平凸レンズ列」という。）１１とが基準画素８と基準平凸レンズ９とからなる組を中心として交差するように位置付けられている。これにより、基準画素８から等距離にある画素３が該画素３に対応する平凸レンズ５に対して基準画素８を中心として回転する方向にずれており、かつ、基準画素８よりも外側の画素３ほどずれ幅が大きくなっている。
【００２３】
次に、装飾体１に現出する画像について説明する。
【００２４】
先ず、装飾体１の上方から光を照射すると、透明層２及び各平凸レンズ５を透過した光が反射層7において反射される。そして、基準平凸レンズ９から離れて位置する、画素３と重なり合いの小さな平凸レンズ５が反射層７で反射された光を集光して輝く。これにより、基準平凸レンズ９を中心として該基準平凸レンズ９の周囲に位置する、平凸レンズ５と重なり合いの大きな画素３によって形成される画素３の拡大画像が強調され、装飾体１に画素３の拡大画像が現出する。
【００２５】
この時、画素３と平凸レンズ５との位置関係が、基準画素８から等距離にある画素３が該画素３に対応する平凸レンズ５に対して基準画素８を中心として回転する方向にずれており、かつ、基準画素８よりも外側の画素３ほどずれ幅が大きくなっているので、図３に示すように、左目１２のみで目視したときに見える画像１３と右目１４のみで目視したときに見える画像１５との位置関係を比べると、両画像１３，１５が横方向にずれずに縦方向にずれて現れる。この画像１３，１５のずれにより、画素３の拡大画像１６が基準画素８を中心として装飾体１と同一平面上に見える。
【００２６】
実施の形態２．
【００２７】
本実施の形態は前記実施の形態１における画素層と平凸レンズ層との位置関係を変えた変形例である。図４は本実施の形態に係る装飾体を示した断面図である。図５は本実施の形態に係る装飾体の画像層と平凸レンズ層との位置関係を示した平面図であり、図中、縦横方向の画素の並びを実線、縦横方向の平凸レンズの並びを点線にて示している。図６は図４に示す装飾体に現出する画像を示した説明図である。これらの図において、図１〜図３と同一符号は同一又は相当部分を示している。
【００２８】
本実施の形態に係る平凸レンズ層６を構成する平凸レンズ５は、前記実施の形態１と同様に配列されている。また、画素層４を構成する画素３は、平凸レンズ５における縦方向のピッチよりも僅かに狭いピッチで縦方向に配列されていると共に、平凸レンズ５における横方向のピッチよりも僅かに狭いピッチで横方向に配列されており、縦方向のピッチと横方向のピッチは一致するように配列して並べられている。
【００２９】
次に、画素３と平凸レンズ５との位置関係を説明する。
【００３０】
画素層４と平凸レンズ層６とは、図５に示すように、画素３と平凸レンズ５とが上下において最も重なる基準画素８と基準平凸レンズ９とからなる組を有するように積層されている。そして、基準画素列１０から等距離にある一対の縦方向の画素３の並び（以下、「画素列」という。）１７が該画素列１７に対応する縦方向の平凸レンズ５の並び（以下、「平凸レンズ列」という。）１８に対して基準画素列１０を中心として内側にずれていると共に、基準画素列１０よりも外側の画素列１７ほどずれる幅が大きくなり、かつ、基準画素８を含む横方向の画素３の並び（以下、「基準画素行」という。）１９から等距離にある一対の横方向の画素３の並び（以下、「画素行」という。）２０が該画素行２０に対応する横方向の平凸レンズの並び（以下、「平凸レンズ行」という。）２１に対して基準画素行１９を中心として内側にずれていると共に、基準画素行１９よりも外側の画素行２０ほどずれる幅が大きくなっている。
【００３１】
次に、装飾体１に現出する画像について説明する。
【００３２】
先ず、装飾体１の上方から光を照射すると、前記実施の形態１と同様に画素３と重なり合いの小さな平凸レンズ５が反射層７で反射された光を集光して輝くことにより、平凸レンズ５と重なり合いの大きな画素３によって形成される画素３の拡大画像が強調され、装飾体１に画素３の拡大画像が現出する。
【００３３】
この時、画素３と平凸レンズ５の位置関係が、基準画素列１０から等距離にある一対の画素列１７が該画素列１７に対応する平凸レンズ列１８に対して基準画素列１０を中心として内側にずれていると共に、基準画素列１０よりも外側の画素列１７ほどずれる幅が大きくなっているので、図６に示すように、左目１２のみで目視したときに見える画像２２と右目１４のみで目視したときに見える画像２３との位置関係を比べると、目線が交差しないようにずれて画像２２，２３が現れる。この画像２２，２３のずれにより、画素３の拡大画像２４が基準画素８を中心として装飾体１に対して奥（下方）に沈んで見える。
【００３４】
実施の形態３．
【００３５】
本実施の形態は前記実施の形態１における画素層と平凸レンズ層との位置関係を変えた変形例である。図７は本実施の形態に係る装飾体を示した断面図である。図８は本実施の形態に係る装飾体の画像層と平凸レンズ層との位置関係を示した平面図であり、図中、縦横方向の画素の並びを実線、縦横方向の平凸レンズの並びを点線にて示している。図９は図７に示す装飾体に現出する画像を示した説明図である。これらの図において、図１〜図３と同一符号は同一又は相当部分を示している。
【００３６】
本実施の形態に係る平凸レンズ層６を構成する平凸レンズ５は、前記実施の形態１と同様に配列されている。また、画素層４を構成する画素３は、平凸レンズ５における縦方向のピッチよりも僅かに広いピッチで縦方向に配列されていると共に、平凸レンズ５における横方向のピッチよりも僅かに広いピッチで横方向に配列されており、縦方向のピッチと横方向のピッチとが一致するように配列して並べられている。
【００３７】
次に、画素３と平凸レンズ５との位置関係を説明する。
【００３８】
画素層４と平凸レンズ層６とは、図８に示すように、画素３と平凸レンズ５とが上下において最も重なる基準画素８と基準平凸レンズ９とからなる組を有するように積層されている。そして、基準画素列１０から等距離にある一対の画素列１７が該画素列１７に対応する平凸レンズ列１８に対して基準画素列１０を中心として外側にずれていると共に、基準画素列１０よりも外側の画素列１７ほどずれる幅が大きくなり、かつ、基準画素行１９から等距離にある一対の画素行２０が該画素行２０に対応する平凸レンズ行２１に対して基準画素行１９を中心として外側にずれていると共に、基準画素行１９よりも外側の画素行２０ほどずれる幅が大きくなっている。
【００３９】
次に、装飾体１に現出する画像について説明する。
【００４０】
先ず、装飾体１の上方から光を照射すると、前記実施の形態１と同様に画素３と重なり合いの小さな平凸レンズ５が反射層７で反射された光を集光して輝くことにより、平凸レンズ５と重なり合いの大きな画素３によって形成される画素３の拡大画像が強調され、装飾体１に画素３の拡大画像が現出する。
【００４１】
この時、画素３と平凸レンズ５との位置関係が、基準画素列１０から等距離にある一対の画素列１７が該画素列１７に対応する平凸レンズ列１８に対して基準画素列１０を中心として外側にずれていると共に、基準画素列１０よりも外側の画素列１７ほどずれる幅が大きくなっているので、図９に示すように、左目１２のみで目視したときに見える画像２５と右目１４のみで目視したときに見える画像２６との位置関係を比べると、目線が交差するようにずれて画像２５，２６が現れる。この画像２５，２６のずれにより、画素３の拡大画像２７が基準画素８を中心として装飾体１に対して手前（上方）に浮かんで見える。
【００４２】
実施の形態４．
【００４３】
本実施の形態は前記実施の形態１における画素層と平凸レンズ層との位置関係を変えた変形例である。図１０は本実施の形態に係る装飾体を示した断面図であり、図１０の（ａ）は基準画素を含む横方向の画素の並びに沿って切断したものであり、図１０の（ｂ）は基準画素を含む縦方向の画素の並びに沿って切断したものである。図１１は本実施の形態に係る装飾体の画像層と平凸レンズ層との位置関係を示した平面図であり、図中、縦横方向の画素の並びを実線、縦横方向の平凸レンズの並びを点線にて示している。図１２は図１０に示す装飾体に現出する画像を示した説明図であり、図１２の（ａ）は装飾体をＸ方向から目視した際に現出する画像を示しており、図１２の（ｂ）は装飾体をＹ方向から目視した際に現出する画像を示している。これらの図において、図１〜図３と同一符号は同一又は相当部分を示している。
【００４４】
本実施の形態に係る平凸レンズ層６を構成する平凸レンズ５は、前記実施の形態１と同様に配列されている。また、画素層４を構成する画素３は、平凸レンズ５における縦方向のピッチよりも僅かに狭いピッチで縦方向に配列されていると共に、平凸レンズ５における横方向のピッチよりも僅かに広いピッチで横方向に配列されており、画素３と平凸レンズ５とのピッチの差は縦方向と横方向において一致するように配列して並べられている。
【００４５】
次に、画素３と平凸レンズ５との位置関係を説明する。
【００４６】
画素層４と平凸レンズ層６とは、図１１に示すように、画素３と平凸レンズ５とが上下において最も重なる基準画素８と基準平凸レンズ９とからなる組を有するように積層されている。そして、基準画素列１０から等距離にある一対の画素列１７が該画素列１７に対応する平凸レンズ列１８に対して基準画素列１０を中心として外側にずれていると共に、基準画素列１０よりも外側の画素列１７ほどずれる幅が大きくなり、かつ、基準画素行１９から等距離にある一対の画素行２０が該画素行２０に対応する平凸レンズ行２１に対して基準画素行１９を中心として内側にずれていると共に、基準画素行１９よりも外側の画素行２０ほどずれる幅が大きくなっている。
【００４７】
次に、装飾体１に現出する画像について説明する。
【００４８】
先ず、装飾体１の上方から光を照射すると、前記実施の形態１と同様に画素３と重なり合いの小さな平凸レンズ５が反射層７で反射された光を集光して輝くことにより、平凸レンズ５と重なり合いの大きな画素３によって形成される画素３の拡大画像が強調され、装飾体１に画素３の拡大画像が現出する。
【００４９】
この時、装飾体１をＸ方向から目視すると、画素３と平凸レンズ５との位置関係が、基準画素列１０から等距離にある一対の画素列１７が該画素列１７に対応する平凸レンズ列１８に対して基準画素列１０を中心として外側にずれていると共に、基準画素列１０よりも外側の画素列１７ほどずれる幅が大きくなっているので、図１２の（ａ）に示すように、画素３の拡大画像２８が基準画素８を中心として装飾体１に対して手前（上方）に浮かんで見える。
【００５０】
一方、装飾体１をＹ方向から目視すると、画素３と平凸レンズ５との位置関係が、基準画素行１９から等距離にある一対の画素行２０が該画素行２０に対応する平凸レンズ行２１に対して基準画素行１９を中心として内側にずれていると共に、基準画素行１９よりも外側の画素行２０ほどずれる幅が大きくなっているので、図１２の（ｂ）に示すように、画素３の拡大画像２９が基準画素８を中心として装飾体１に対して奥（下方）に沈んで見える。
【００５１】
従って、装飾体１を９０度回転させることにより、異なる高さ位置に現出する画像２８，２９を視認することができる。
【００５２】
実施の形態５．
【００５３】
本実施の形態は前記実施の形態１における画素層と平凸レンズ層との位置関係を変えた変形例である。図１３は本実施の形態に係る装飾体を示した断面図であり、図１３の（ａ）は基準画素を含む横方向の画素の並びに沿って切断したものであり、図１３の（ｂ）は基準画素を含む縦方向の画素の並びに沿って切断したものである。図１４は本実施の形態に係る装飾体の画像層と平凸レンズ層との位置関係を示した平面図であり、図中、縦横方向の画素の並びを実線、縦横方向の平凸レンズの並びを点線にて示している。図１５は図１３に示す装飾体に現出する画像を示した説明図であり、図１５の（ａ）は装飾体をＸ方向から目視した際に現出する画像を示しており、図１５の（ｂ）は装飾体をＹ方向から目視した際に現出する画像を示している。これらの図において、図１〜図３と同一符号は同一又は相当部分を示している。
【００５４】
本実施の形態に係る平凸レンズ層６を構成する平凸レンズ５は、前記実施の形態１と同様に配列されている。また、画素層４を構成する画素３は、平凸レンズ５における縦方向のピッチよりも僅かに広いピッチで縦方向に配列されていると共に、その縦方向のピッチよりもさらに広いピッチで横方向に配列されている。従って、画素３と平凸レンズ５とのピッチの差は縦方向よりも横方向の方が大きくなっている。
【００５５】
次に、画素３と平凸レンズ５との位置関係を説明する。
【００５６】
画素層４と平凸レンズ層６とは、図１４に示すように、画素３と平凸レンズ５とが上下において最も重なる基準画素８と基準平凸レンズ９とからなる組を有するように積層されている。そして、基準画素列１０から等距離にある一対の画素列１７が該画素列１７に対応する平凸レンズ列１８に対して基準画素列１０を中心として外側にずれていると共に、基準画素列１０よりも外側の画素列１７ほどずれる幅が大きくなり、かつ、基準画素行１９から等距離にある一対の画素行２０が該画素行２０に対応する平凸レンズ行２１に対して基準画素行１９を中心として画素列１７の平凸レンズ列１８に対するずれ幅よりも小さなずれ幅で外側にずれていると共に、基準画素行１９よりも外側の画素行２０ほどずれる幅が大きくなっている。
【００５７】
次に、装飾体１に現出する画像について説明する。
【００５８】
先ず、装飾体１の上方から光を照射すると、前記実施の形態１と同様に画素３と重なり合いの小さな平凸レンズ５が反射層７で反射された光を集光して輝くことにより、平凸レンズ５と重なり合いの大きな画素３によって形成される画像が強調され、装飾体１に画像が現出する。
【００５９】
この時、装飾体１をＸ方向から目視すると、画素３と平凸レンズ５との位置関係が、基準画素列１０から等距離にある一対の画素列１７が該画素列１７に対応する平凸レンズ列１８に対して基準画素列１０を中心として外側にずれていると共に、基準画素列１０よりも外側の画素列１７ほどずれる幅が大きくなっているので、画像が基準画素８を中心として装飾体１に対して手前（上方）に浮かんで見える。
【００６０】
一方、装飾体１をＹ方向から目視すると、画素３と平凸レンズ５との位置関係が、基準画素行１９から等距離にある一対の画素行２０が該画素行２０に対応する平凸レンズ行２１に対して基準画素行１９を中心として外側にずれていると共に、基準画素行１９よりも外側の画素行２０ほどずれる幅が大きくなっているので、画像が基準画素８を中心として装飾体１に対して手前（上方）に浮かんで見える。
【００６１】
なお、画素３と平凸レンズ５の縦方向のピッチの差が画素３と平凸レンズ５の横方向のピッチの差よりも小さいため、画素列１７に沿って引き伸ばされた形状の画像が現出し、また、図１５の（ａ）及び図１５の（ｂ）に示すように、装飾体１をＸ方向から目視した際に現出する画像３０よりもＹ方向から目視した際に現出する画像３１の方が下側の高さ位置に浮いて見える。
【００６２】
従って、装飾体１を９０度回転させることにより、異なる高さ位置に浮かんで現出する画像３０，３１を視認することができる。
【００６３】
実施の形態６．
【００６４】
本実施の形態は前記実施の形態１における画素層と平凸レンズ層との位置関係を変えた変形例である。図１６は本実施の形態に係る装飾体を示した断面図であり、図１６の（ａ）は基準画素を含む横方向の画素の並びに沿って切断したものであり、図１６の（ｂ）は基準画素を含む縦方向の画素の並びに沿って切断したものである。図１７は本実施の形態に係る装飾体の画像層と平凸レンズ層との位置関係を示した平面図であり、図中、縦横方向の画素の並びを実線、縦横方向の平凸レンズの並びを点線にて示している。図１８は図１６に示す装飾体に現出する画像を示した説明図であり、図１８の（ａ）は装飾体をＸ方向から目視した際に現出する画像を示しており、図１８の（ｂ）は装飾体をＹ方向から目視した際に現出する画像を示している。これらの図において、図１〜図３と同一符号は同一又は相当部分を示している。
【００６５】
本実施の形態に係る平凸レンズ層６を構成する平凸レンズ２は、前記実施の形態１と同様に配列されている。また、画素層４を構成する画素３は、平凸レンズ５における縦方向のピッチよりも僅かに狭いピッチで縦方向に配列されていると共に、その縦方向のピッチよりもさらに狭いピッチで横方向に配列されている。従って、画素３と平凸レンズ５とのピッチの差は縦方向よりも横方向の方が大きくなっている。
【００６６】
次に、画素３と平凸レンズ５との位置関係を説明する。
【００６７】
画素層４と平凸レンズ層６とは、図１７に示すように、画素３と平凸レンズ５とが上下において最も重なる基準画素８と基準平凸レンズ９とからなる組を有するように積層されている。そして、基準画素列１０から等距離にある一対の画素列１７が該画素列１７に対応する平凸レンズ列１８に対して基準画素列１０を中心として内側にずれていると共に、基準画素列８よりも外側の画素列１７ほどずれる幅が大きくなり、かつ、基準画素行１９から等距離にある一対の画素行２０が該画素行２０に対応する平凸レンズ行２１に対して基準画素行１９を中心として画素列１７の平凸レンズ列１８に対するずれ幅よりも小さなずれ幅で内側にずれていると共に、基準画素行１９よりも外側の画素行２０ほどずれる幅が大きくなっている。
【００６８】
次に、装飾体１に現出する画像について説明する。
【００６９】
先ず、装飾体１の上方から光を照射すると、前記実施の形態１と同様に画素３と重なり合いの小さな平凸レンズ５が反射層７で反射された光を集光して輝くことにより、平凸レンズ５と重なり合いの大きな画素３によって形成される画像が強調され、装飾体１に画像が現出する。
【００７０】
この時、装飾体１をＸ方向から目視すると、画素３と平凸レンズ５との位置関係が、基準画素列１０から等距離にある一対の画素列１７が該画素列１７に対応する平凸レンズ列１８に対して基準画素列１０を中心として内側にずれていると共に、基準画素列１０よりも外側の画素列１７ほどずれる幅が大きくなっているので、画像が基準画素８を中心として装飾体１に対して奥（下方）に沈んで見える。
【００７１】
一方、装飾体１をＹ方向から目視すると、画素３と平凸レンズ５との位置関係が、基準画素行１９から等距離にある一対の画素行２０が該画素行２０に対応する平凸レンズ行２１に対して基準画素行１９を中心として内側にずれていると共に、基準画素行１９よりも外側の画素行２０ほどずれる幅が大きくなっているので、画像が基準画素８を中心として装飾体１に対して奥（下方）に沈んで見える。
【００７２】
なお、画素３と平凸レンズ５の縦方向のピッチの差が画素３と平凸レンズ５の横方向のピッチの差よりも小さいため、画素列１７に沿って引き伸ばされた形状の画像が現出し、また、図１８の（ａ）及び図１８の（ｂ）に示すように、装飾体１をＸ方向から目視した際に現出する画像３２よりもＹ方向から目視した際に現出する画像３３の方が上側の高さ位置に沈んで見える。
【００７３】
従って、装飾体１を９０度回転させることにより、異なる高さ位置に沈んで現出する画像３２，３３を視認することができる。
【００７４】
実施の形態７．
【００７５】
本実施の形態は前記実施の形態１における画素層と平凸レンズ層との位置関係を変えた変形例である。図１９は本実施の形態に係る装飾体の画像層と平凸レンズ層との位置関係を示した平面図であり、図中、縦横方向の画素の並びを実線、縦横方向の平凸レンズの並びを点線にて示している。これらの図において、図１〜図３と同一符号は同一又は相当部分を示している。
【００７６】
本実施の形態における平凸レンズ層６を構成する平凸レンズ５は、前記実施の形態１と同様に配列されている。また、画素層４を構成する画素３は、平凸レンズ５における縦方向及び横方向のピッチより広いピッチで縦方向及び横方向に整列された画素配置を一の画素列（図１９中、左端に位置する画素列）３４を残した状態で、一の画素列３４の隣の画素列１７から順に同じ傾斜角θを累積する傾斜パターンにて、画素配置における一の画素行（図１９中、下端に位置する画素行）３５に配置される画素３を中心として同一方向に並んで傾斜するように、即ち、一の画素列３４の隣の画素列１７である一列目の画素列１７の傾斜角θ1がθとなり、二列目の画素列１７の傾斜角θ2が２θとなり、以下、同様にｎ列目の画素列１７の傾斜角θnがｎθとなるように傾斜させて配置されている。
【００７７】
次に、画素３と平凸レンズ５との位置関係を説明する。
【００７８】
画素層４と平凸レンズ層６とは、画素層４における一の画素列（図１９中、左端に位置する画素列）３４と平凸レンズ層６における一の平凸レンズ列（図１９中、左端に位置する平凸レンズ列）３６とが平行になり、かつ、画素３と平凸レンズ５とが上下において最も重なる基準画素８と基準平凸レンズ９とからなる組を有するように積層されている。そして、基準平凸レンズ９を中心とする対角線上の等距離にある平凸レンズ５に対応する画素３が該平凸レンズ５に対して基準平凸レンズ９を中心として点対称に横ずれして放射状に外側に向かってずれており、基準画素８よりも外側の他の画素３ほどずれる幅が大きくなっている。
【００７９】
次に、装飾体１に現出する画像について説明する。
【００８０】
先ず、装飾体１の上方から光を照射すると、前記実施の形態１と同様に画素３と重なり合いの小さな平凸レンズ５が反射層７で反射された光を集光して輝くことにより、平凸レンズ５と重なり合いの大きな画素３によって形成される画像が強調され、装飾体１に画像が現出する。
【００８１】
この時、基準平凸レンズ９を中心とする対角線上の等距離にある平凸レンズ５に対応する画素３が該平凸レンズ５に対して基準平凸レンズ９を中心として点対称に横ずれして放射状に外側に向かってずれており、基準画素８よりも外側の他の画素３ほどずれる幅が大きくなっているので、画像が基準画素８を中心として装飾体１に対して手前（上方）に浮かんで見える。
【００８２】
なお、基準平凸レンズ９から等距離にある平凸レンズ５に対応する画素３がそれぞれ同程度に重なり合っていないため、画素３の形状を拡大変形した形状の画像が現出する。
【００８３】
実施の形態８．
【００８４】
本実施の形態は前記実施の形態１における画素層を構成する画素の変形例である。図２０は変形例１の画素層を示した平面図であり、図２１は変形例２の画素層を示した平面図であり、図２３は変形例３の画素層を示した平面図であり、図２４は変形例４の画素層を示した平面図であり、図２５は変形例５の画素層を示した平面図である。なお、各図において、縦横方向の画素の並びを実線にて示している。これらの図において、図１〜図１９と同一符号は同一又は相当部分を示している。
【００８５】
変形例１：本変形例の画素層４を構成する画素３は、各画素行２０上に配置される画素３の形状が、一の画素列（図２０中、左端に位置する画素列）３７上に配置される画素３を基本画素３８として該基本画素３８から離れるに従って徐々に変形するように形成されている。
【００８６】
本変形例に係る画素層４を積層した装飾体１においては、目視する方向を移動させることによって形状が徐々に変形する画像を得ることができる。
【００８７】
なお、本変形例においては、一の画素列上に配置される基本画素を基準として画素を徐々に変形させたが、一の画素を基準としてもよく、その他の画素を基準としてもよい。
【００８８】
変形例２：本変形例の画素層４を構成する画素３は、各画素行２０上に配置される画素３の形状が、一の画素列（図２１中、左端に位置する画素列）３７上に配置される画素３を基本画素３８として該基本画素３８から離れるに従って同じ回転角を累積する回転パターンにて一方向に回転するように形成されている。
【００８９】
本変形例に係る画素層４を積層した装飾体１においては、目視する方向を移動させることによって回転する画像を得ることができる。
【００９０】
なお、本変形例においては、一の画素列上に配置される基本画素を基準として画素を徐々に回転させたが、一の画素を基準としてもよく、その他の画素を基準としてもよい。
【００９１】
変形例３：本変形例の画素層４を構成する画素３は、２種類の画素３が上下左右において交互に配置されるパターンで整列されている。
【００９２】
本変形例に係る画素層４を積層した装飾体１においては、２種類の画素に起因する画像が重なった状態の画像を得ることができる。
【００９３】
なお、本変形例においては、画素３を２種類としたが３種類以上にしてもよい。
【００９４】
変形例４：本変形例の画素層４を構成する画素３は、２種類の画素３が左右にのみ交互に配置されており、上下には同じ形状の画素３が配置されるパターンで整列されている。
【００９５】
本変形例に係る画素層４を積層した装飾体１においても、２種類の画素に起因する画像が重なった状態の画像を得ることができる。
【００９６】
なお、本変形例においては、画素３を２種類としたが３種類以上にしてもよい。
【００９７】
変形例５：本変形例の画素層４は線状の画素３が配列されている。
【００９８】
本変形例に係る画素層４を積層した装飾体２においては、線状の画像を得ることができる。
【００９９】
なお、前記各変形例の画素層を構成する画素の配列を前記実施の形態２乃至７と同様の配列に変更することにより、当該各実施の形態においても適用することができる。
【０１００】
前記実施の形態１乃至７においては、いずれも画素層４を一層のみ積層しているが、多数層積層してもよい。この場合には、それぞれの画素層４と平凸レンズ層６との位置関係によって各画素層４に対応した画像が現出する。
【０１０１】
実施の形態９．
【０１０２】
本実施の形態は前記実施の形態における積層構造の変形例である。図２５は本実施の形態に係る変形例６の装飾体を示した断面図である。図２６は本実施の形態に係る変形例７の装飾体を示した断面図である。図２７は本実施の形態に係る変形例８の装飾体を示した断面図である。図２８は本実施の形態に係る変形例９の装飾体を示した断面図である。この図において、図１〜図２４と同一符号は同一又は相当部分を示している。
【０１０３】
変形例６：本変形例に係る装飾体１は、図２５に示すように、透明層２下に画素層４及び平凸レンズ層６を順番に積層した後、平凸レンズ層６の下に板状の反射層７が重ねられた構成となっている。
【０１０４】
本変形例においても、前記各実施の形態と同様の作用・効果が得られる。
【０１０５】
変形例７：本変形例に係る装飾体１は、図２６に示すように、画素層４と該画素層４下に積層される平凸レンズ層６と該平凸レンズ層下に積層される反射層７とから構成されている。
【０１０６】
本変形例においても、前記各実施の形態と同様の作用・効果が得られる。
【０１０７】
なお、本変形例に係る装飾体１を形成する場合には、先ず、板状の基板（図示せず）上に画素層４、平凸レンズ層６及び反射層７を印刷等によって順番に積層した後、基板を剥離すればよい。
【０１０８】
変形例８：本変形例に係る装飾体１は、図２７に示すように、透明層２と該透明層２下に積層される画素層４と該画素層４下に積層される平凸レンズ層６と該平凸レンズ層６を構成する各平凸レンズ５の球面を覆うように積層される反射素３９から構成される反射層７とから構成されている。
【０１０９】
本変形例においても、前記各実施の形態と同様の作用・効果が得られる。
【０１１０】
変形例９：本変形例に係る装飾体１は、図２８に示すように、画素層４と該画素層４下に積層される光を透過する透過層４０と該透過層４０下に積層される平凸レンズ層６と該平凸レンズ層下に積層される反射層７とから構成されている。なお、透過層４０は、透明層２と同様にして形成することができる。
【０１１１】
本変形例においても、前記各実施の形態と同様の作用・効果が得られる。
【０１１２】
なお、前記各実施の形態においては、平凸レンズ層６を構成する平凸レンズ５を、縦横に直行するように整列しているが、規則正しく整列していればよく、例えば、図２９に示すように、縦横に整列された平凸レンズ５の並びにおける各平凸レンズ列１８を同じ角度傾斜させた状態で整列していてもよい。なお、この場合には、平凸レンズ５の並びに合わせて画素層４を構成する画素３の並びを調節する必要がある。
【０１１３】
また、前記各実施の形態においては、平凸レンズ層を構成する平凸レンズとして球面レンズを使用しているが、これに限定することなく、蒲鉾状の円柱レンズを使用することもできる。但し、円柱レンズを使用した場合には、画素層を構成する画素としてドット状の画素を使用すると、画素の拡大画像又は変形拡大画像を現出させることができない。
【０１１４】
また、前記各実施の形態においては、平凸レンズ層を構成する平凸レンズの配列を保持した状態で画素層を構成する画素の配列を変更して各種装飾体（実施の形態２乃至７に係る装飾体）を形成したが、画素層を構成する画素の配列を保持した状態で平凸レンズ層を構成する平凸レンズの配列を変更しても画像を現出する装飾体を得ることができる。例えば、実施の形態２乃至７に係る装飾体において画素層を構成する画素の配列と平凸レンズ層を構成する平凸レンズの配列を入れ替えた場合には、画素と平凸レンズとの位置関係が逆転するため、画像の浮き沈みが逆転した装飾体を得ることができる。
【図面の簡単な説明】
【０１１５】
【図１】実施の形態１に係る装飾体を示した断面図である。
【図２】実施の形態１に係る装飾体の画像層と平凸レンズ層との位置関係を示した平面図である。
【図３】図１に示す装飾体に現出する画像を示した説明図である。
【図４】実施の形態２に係る装飾体を示した断面図である。
【図５】実施の形態２に係る装飾体の画像層と平凸レンズ層との位置関係を示した平面図である。
【図６】図４に示す装飾体に現出する画像を示した説明図である。
【図７】実施の形態３に係る装飾体を示した断面図である。
【図８】実施の形態３に係る装飾体の画像層と平凸レンズ層との位置関係を示した平面図である。
【図９】図７に示す装飾体に現出する画像を示した説明図である。
【図１０】実施の形態４に係る装飾体を示した断面図である。
【図１１】実施の形態４に係る装飾体の画像層と平凸レンズ層との位置関係を示した平面図である。
【図１２】図１０に示す装飾体に現出する画像を示した説明図である。
【図１３】実施の形態５に係る装飾体を示した断面図である。
【図１４】実施の形態５に係る装飾体の画像層と平凸レンズ層との位置関係を示した平面図である。
【図１５】図１３に示す装飾体に現出する画像を示した説明図である。
【図１６】実施の形態６に係る装飾体を示した断面図である。
【図１７】実施の形態６に係る装飾体の画像層と平凸レンズ層との位置関係を示した平面図である。
【図１８】図１６に示す装飾体に現出する画像を示した説明図である。
【図１９】実施の形態７に係る装飾体の画像層と平凸レンズ層との位置関係を示した平面図である。
【図２０】変形例１の画素層を示した平面図である。
【図２１】変形例２の画素層を示した平面図である。
【図２２】変形例３の画素層を示した平面図である。
【図２３】変形例４の画素層を示した平面図である。
【図２４】変形例５の画素層を示した平面図である。
【図２５】変形例６に係る装飾体を示した断面図である。
【図２６】変形例７に係る装飾体を示した断面図である。
【図２７】変形例８に係る装飾体を示した断面図である。
【図２８】変形例９に係る装飾体を示した断面図である。
【図２９】平凸レンズ層の変形例を示した平面図である。
【符号の説明】
【０１１６】
１  装飾体
２  透明層
３  画素
４  画素層
５  平凸レンズ
６  平凸レンズ層
７  反射層
８  基準画素
９  基準平凸レンズ
１０  基準画素列
１１  基準平凸レンズ列
１２  左目
１３，１５，１６  画像
１４  右目
１７  画素列
１８  平凸レンズ列
１９  基準画素行
２０  画素行
２１  平凸レンズ行
２２，２３，２４  画像
２５，２６，２７  画像
２８，２９  画像
３０，３１  画像
３２，３３  画像
３４  一の画素列
３５  一の画素行
３６  一の平凸レンズ列
３７  一の画素列
３８  基本画素
３９  反射素
４０  透過層
【図１】
2011251538.tif 000003
【図２】
2011251538.tif 000004
【図３】
2011251538.tif 000005
【図４】
2011251538.tif 000006
【図５】
2011251538.tif 000007
【図６】
2011251538.tif 000008
【図７】
2011251538.tif 000009
【図８】
2011251538.tif 000010
【図９】
2011251538.tif 000011
【図１０】
2011251538.tif 000012
【図１１】
2011251538.tif 000013
【図１２】
2011251538.tif 000014
【図１３】
2011251538.tif 000015
【図１４】
2011251538.tif 000016
【図１５】
2011251538.tif 000017
【図１６】
2011251538.tif 000018
【図１７】
2011251538.tif 000019
【図１８】
2011251538.tif 000020
【図１９】
2011251538.tif 000021
【図２０】
2011251538.tif 000022
【図２１】
2011251538.tif 000023
【図２２】
2011251538.tif 000024
【図２３】
2011251538.tif 000025
【図２４】
2011251538.tif 000026
【図２５】
2011251538.tif 000027
【図２６】
2011251538.tif 000028
【図２７】
2011251538.tif 000029
【図２８】
2011251538.tif 000030
【図２９】
2011251538.tif 000031